(57)【要約】【課題】累積検針データを日毎に案分する入力を、簡単な構成で容易に検出するとともに、このような入力の是正を行えるようにしたエネルギー管理システムの提供。【解決手段】エネルギー管理センタ９に送信された所定期間の測定データＡｌ〜Ａ５，Ｂｌ，Ｂ２が休日か営業日かを判断する営業日判定手段１３と、この営業日判定手段１３で判断した休日と営業日及び当該所定期間の計測データ増加勾配Ａ，Ｂ，Ｃを演算する勾配演算手段１１と、この勾配演算手段１１で演算した休日の勾配Ｂと営業日の勾配Ａあるいは当該所定期間の平均勾配Ｃとを比較して、当該所定期間の計測データが案分されたデータであることを判定する入力値判定手段１２とを備えたものである。【選択図】図１
2012128729.tif 000002
【特許請求の範囲】
【請求項１】
建物に設けられる少なくとも電気の使用量を積算計測する検針器と、所定期間毎に読み取った前記検針器の測定データを入力する端末装置と、前記端末装置に入力された前記計測データが通信回線を介して送信されるエネルギー管理センタとで構成されるエネルギー管理システムにおいて、
前記エネルギー管理センタに送信された所定期間の前記測定データが休日か営業日かを判断する営業日判定手段と、
この営業日判定手段で判断した休日と営業日及び当該所定期間の計測データ増加勾配を演算する勾配演算手段と、
この勾配演算手段で演算した休日の勾配と営業日の勾配あるいは当該所定期間の平均勾配とを比較して、当該所定期間の計測データが案分されたデータであることを判定する入力値判定手段と、を備えたことを特徴とするエネルギー管理システム。
【請求項２】
請求項１に記載のエネルギー管理システムにおいて、
前記入力値判定手段が所定期間の計測データが案分されたデータと判定すると、前記端末装置及び前記建物の設備を管理する管理者のパソコンの少なくとも一方へ案分入力を通報する通報手段を備えたことを特徴とするエネルギー管理システム。
【発明の詳細な説明】
【技術分野】
【０００１】
本発明は、エネルギー管理システムに係り、エネルギー使用量の入力作業支援に好適なエネルギー管理システムに関する。
【背景技術】
【０００２】
従来、建物に設けられた端末装置から管理センタへ通信回線を介して、電気、ガス、水道等のエネルギー使用量の検針値を送信し、前記管理センタは所定期間における使用量と、予め定めた推定使用量とを比較して、乖離が著しい場合、その旨の通知を出力して入力是正させるようにしたものがあった（特許文献１，特許文献２）。
【先行技術文献】
【特許文献】
【０００３】
【特許文献１】特開２００４−２９５４１３号公報
【特許文献２】特開平１０−１１６３９８号公報
【発明の概要】
【発明が解決しようとする課題】
【０００４】
上記の技術は、エネルギー使用量を自動的に検針するエネルギー管理システムには有効であるが、設備投資を掛けられない事情がある場合、目視したエネルギー使用量の値をパソコン等の端末装置へ入力し、この入力結果を、通信回線を介して管理センタへ送信するエネルギー管理システムで対応するのが通常である。
【０００５】
また、このように作業者が検針データを入力するエネルギー管理システムにあっては、毎日検針してその検針データを入力するのが通常であるが、検針を忘れると、複数日分の累計検針データを日毎に案分して端末装置へ入力するという問題があった。
【０００６】
また、このように累積検針データをそれぞれの日に割り振って入力すると、日々のエネルギー使用量が不正確となり、適切な省エネルギー施策の選定が難しくなるという問題があった。
【０００７】
本発明の目的は、累積検針データを日々に案分する入力を、簡単な構成で容易に検出するとともに、このような入力の是正を行えるようにしたエネルギー管理システムを提供するものである。
【課題を解決するための手段】
【０００８】
上記目的を達成するために本発明は、建物に設けられる少なくとも電気の使用量を積算計測する検針器と、所定期間毎に読み取った前記検針器の測定データを入力する端末装置と、前記端末装置に入力された前記計測データが通信回線を介して送信されるエネルギー管理センタとで構成されるエネルギー管理システムにおいて、前記エネルギー管理センタに送信された所定期間の前記測定データが休日か営業日かを判断する営業日判定手段と、この営業日判定手段で判断した休日と営業日及び当該所定期間の計測データ増加勾配を演算する勾配演算手段と、この勾配演算手段で演算した休日の勾配と営業日の勾配あるいは当該所定期間の平均勾配とを比較して、当該所定期間の計測データが案分されたデータであることを判定する入力値判定手段とを備えるとともに、前記入力値判定手段が所定期間の計測データが案分されたデータと判定すると、前記端末装置及び前記建物の設備を管理する管理者のパソコンの少なくとも一方へ案分入力を通報する通報手段を備えたものである。
【発明の効果】
【０００９】
本発明によれば、勾配演算手段が求めた休日及び営業日の勾配と所定期間の平均勾配の差異によって、入力値判定手段が所定期間の計測データが案分されたと判定した場合、通報手段が案分入力を通報して、検針及び入力を行った作業者へ注意喚起をするようにしたので、毎日正しい検針データを取得することが期待できる。
【図面の簡単な説明】
【００１０】
【図１】本発明のエネルギー管理システムの一実施形態における概略構成を示すブロック図である。
【図２】本発明の一実施形態の動作を説明するフローチャートである。
【図３】本発明の一実施形態のエネルギー管理システムが作成する所定期間の電力使用量を示すグラフである。
【発明を実施するための形態】
【００１１】
以下、本発明のエネルギー管理システムの一実施形態を図１〜図３を用いて説明する。
【００１２】
図１は本発明の一実施形態におけるエネルギー管理システムの要部を示すブロック図で、
図２は本発明の一実施形態の動作を説明するフローチャートで、図３は本発明の一実施形態のエネルギー管理システムが作成する所定期間における電力使用量を示すグラフである。
【００１３】
図１において、複数の建物１のそれぞれには、電力使用量を計数する検針器である積算電力計５が設けられ、作業者３は積算電力計５の表記値を一日一回読み取り、端末装置であるパソコン２へ入力する業務を受け持っている。ここで、パソコン２へ入力するのはガスの使用量や水道の使用量であっても良い。
【００１４】
また、パソコン４に通信Ｉ／Ｆ４が接続され、パソコン２に入力されたデータは一般回線７を介してエネルギー管理センタ９へ送信される。
【００１５】
また、エネルギー管理センタ９は、一般回線７に接続される通信Ｉ／Ｆ８と、この通信Ｉ／Ｆ８に接続され、エネルギー管理センタ９の機器を所定のプログラムで制御する制御手段１０と、この制御手段１０に接続されるデータベース１４と、勾配演算手段１１と、入力値判定手段１２と、営業日判定手段１３と、入力手段１５とで構成されている。
【００１６】
また、データベース１４は、作業者３を特定する情報を格納する登録者情報１４ａと、一日の電力使用量を格納する電力使用量１４ｂと、建物１の営業日或いは休日の情報を格納する営業日１４Ｃを少なくとも有しており、電力使用量１４ｂはパソコン２に入力されたデータを格納し、登録者情報１４ａと営業日１４Ｃは入力手段１５及び後述するパソコン６の少なくとも一方で入力されたデータを格納する。ここで、登録者情報１４ａはパソコン２に一日の電力使用量を入力した作業者３を特定する例えば個人認証番号や氏名及び連絡先等が格納され、電力使用量１４ｂは作業者３がパソコン２に入力した一日の電力使用量と同時に入力する個人認証番号及び測定日が格納される。
【００１７】
また、営業日判定手段１３は、電力使用量１４ｂに蓄積された一日の電力使用量が測定日から休日か営業日のものかを判定するものである。
【００１８】
また、勾配演算手段１１は、営業日及び休日や一週間における一日の電力使用量を積算し、それぞれの増加値を例えば最小二乗法で、後述する営業日の勾配Ａ、休日の勾配Ｂ、一週間の勾配Ｃを演算するものである。
【００１９】
また、入力値判定手段１２は、勾配演算手段１１で演算した営業日の勾配Ａ、休日の勾配Ｂ、一週間の勾配Ｃをそれぞれ比較し、例えば一週間の最後の積算電力計５の値を案分して一日の電力使用量とする不正入力を判断するものである。
【００２０】
また、エネルギー管埋センタ９は、建物１を所有する図示しないオーナや建物１を管理する図示しない管理会社が所有する特定のパソコン６と、一般回線７を介して接続されている。
【００２１】
次に、本実施形態の動作の説明を、図２、図３を用いて説明する。
【００２２】
図２、図３において、作業者３は、パソコン２に積算電力計５の値と作業者３を特定する個人認証番号及び測定日を入力して格納するとともに、格納したデータが所定期間である例えば一週間蓄積されると、通信Ｉ／Ｆ４を起動させ、一週間分の積算電力計５の値と入力した個人認証番号をエネルギー管理センタ９へ送信する。
【００２３】
エネルギー管理センタ９の制御手段１０は、送信された積算電力計５の値である一日の電力使用量と個人認証番号及び測定日の一週間分を電力使用量１４ｂに格納するとともに、格納された一週間分のデータを編集し、図３のグラフに示すような１日〜７日のそれぞれの積算電力計５の計数値をグラフ化するとともに、営業日判定手段１３を起動ざせ、１日〜７日の測定日と営業日１４ｃに格納されている休日及び営業日を比較し、１日〜７日の積算電力計５の計数値に対して、休日と営業日の区別を行ない、休日第１日の値Ｂｌ、休日第２日の値Ｂ２、営業日第１日の値Ａｌ〜営業日第５日の値Ａ５を図３に示すように編集する（ステ少プＳｌ）。
【００２４】
次に、制御手段１０は、取得した計数値が営業日判定手段１３で営業日か休日かを判定し（ステップＳ２）、営業日の計数値を選定するとともに、勾配演算手段１１を起動して、営業日の勾配Ａを求め（ステップＳ３）、勾配演算手段１１が一週間の全データに対して勾配演算の完了を判定し（ステップＳ４）、完了していない場合、ステップＳ２に戻り休日の計数値を選定し、勾配演算手段１１を起動して、休日の勾配Ｂを求める（ステップＳ５）。
【００２５】
次に、制御手段１０は、ステップＳ４で一週間の全データに対して勾配演算が完了と判定すると、入力値判定手段１２を起動し、営業日の勾配Ａと休日の勾配Ｂを比較し、作業者３が積算電力計５の値を毎日パソコン２へ入力しなかったかを判断する（ステップＳ６）。ここで、営業日の電力使用量は休日の電力使用量より多いため、営業日の勾配Ａは休日の勾配Ｂより大きいはずであり、営業日の勾配Ａと休日の勾配Ｂが等しい場合は、積算電力計５の最終日の計数値と前の週の最終日の積算電力計５の計数値を差し引き、日数である７で案分した数値を、休日第１日の値Ｂｌ、休日第２日の値Ｂ２、営業日第１日の値Ａｌ〜営業日第４日にそれぞれ割り振ったと判断し、電力使用量の測定と入力業務には不正があったとする。
【００２６】
また、勾配演算手段１１は営業日の勾配Ａと休日の勾配Ｂを演算し、これらの勾配を入力値判定手段１２が比較する説明を行ったが、営業日の勾配Ａと休日の勾配Ｂと平均勾配である一週間の勾配Ｃをそれぞれ演算し、これらの勾配を入力値判定手段１２が比較しても同様であるので、説明は省略する。
【００２７】
次に、入力値判定手段１２がステップＳ６で、作業者３の電力使用量の測定と入力業務に不正があったと判断した場合、制御手段１０は、通信Ｉ／Ｆ８を起動し通信回線７を介してパソコン６へ、建物１の作業者３が電力使用量の測定と入力業務を正規に実施しなかった旨を報告する（ステップＳ７）。
【００２８】
本実施例によれば、電力使用量に対する営業日の勾配Ａと休日の勾配Ｂを比較するだけで、電力使用量の測定と入力業務が正規に実施されなかったと判断し、建物１の図示しないオーナや管理会社を介して、積算電力計５の計数値は毎日入力する必要がある旨を作業者３に対して指導を行うことで、正しいデータに基づいた省エネルギー計画が期待できる。
【符号の説明】
【００２９】
１        建物
２，６    パソコン
３        作業者
４，８    通信Ｉ／Ｆ
５        積算電力計
７        一般回線
９        エネルギー管理センタ
１０      制御手段
１１      勾配演算手段
１２      入力判定手段
１３      営業日判定手段
１４      データベース
１４ａ    登録者情報
１４ｂ    電力使用量
１４Ｃ    営業日
１５      入力手段
【図１】
2012128729.tif 000003
【図２】
2012128729.tif 000004
【図３】
2012128729.tif 000005